(57)【要約】【課題】デザイン性を低下させずに回転体を相対回転可能に連結することができる蝶番およびこの蝶番を備える連結構造を提供すること。【解決手段】一の回転体と他の回転体とを回転軸線Ｂを中心として相対回転可能に連結する蝶番１０であって、長尺状に形成されて前記一の回転体と前記他の回転体とにわたってそれぞれ取り付けられる第１の長尺部１及び第２の長尺部２を備え、前記第１の長尺部１は、一端部１ｄから他端部１ｅにかけて前記回転軸線Ｂの一方から他方に傾斜して延ばされ、前記第２の長尺部２は、一端部２ｄから他端部２ｅにかけて前記回転軸線Ｂの他方から一方に傾斜して延ばされ、前記第１の長尺部１及び前記第２の長尺部２のそれぞれの長手方向の中途部１ｃ，２ｃが前記回転軸線Ｂに対して交差する方向に配されて互いに交差する交差部３とされる。【選択図】図１
2019027180.tif 000002
【特許請求の範囲】
【請求項１】
一の回転体と他の回転体とを回転軸線を中心として相対回転可能に連結する蝶番であって、
長尺状に形成されて前記一の回転体と前記他の回転体とにわたってそれぞれ取り付けられる第１の長尺部及び第２の長尺部を備え、
前記第１の長尺部は、一端部から他端部にかけて前記回転軸線の一方から他方に傾斜して延ばされ、
前記第２の長尺部は、一端部から他端部にかけて前記回転軸線の他方から一方に傾斜して延ばされ、
前記第１の長尺部及び前記第２の長尺部のそれぞれの長手方向の中途部が前記回転軸線に対して交差する方向に配されて互いに交差する交差部とされる蝶番。
【請求項２】
前記第１の長尺部の一端部が、前記一の回転体又は前記他の回転体のいずれか一方のうち前記回転軸線の軸線方向の一方部に取り付けられ、前記第１の長尺部の他端部が前記一の回転体又は前記他の回転体のいずれか他方のうち前記軸線方向の他方部に取り付けられるようになっており、
前記第２の長尺部の一端部が、前記一の回転体又は前記他の回転体のいずれか一方のうち前記軸線方向の他方部に取り付けられ、前記第２の長尺部の他端部が前記一の回転体又は前記他の回転体のいずれか他方のうち前記軸線方向の一方部に取り付けられるようになっており、
前記交差部は、前記第１の長尺部及び前記第２の長尺部のそれぞれの中途部がＸ状に交差する請求項１に記載の蝶番。
【請求項３】
前記交差部は、前記第１の長尺部及び前記第２の長尺部のそれぞれの中途部が複数回巻回される巻回部である請求項１又は請求項２に記載の蝶番。
【請求項４】
長尺状に形成されて前記一の回転体と前記他の回転体とにわたって取り付けられる中央長尺部を備え、
前記中央長尺部の一端部が、前記第１の長尺部の一端部が取り付けられる一方部と前記第２の長尺部の一端部が取り付けられる他方部との間の前記軸線方向の中央部に取り付けられ、
前記中央長尺部の他端部が、前記第１の長尺部の他端部が取り付けられる他方部と前記第２の長尺部の他端部が取り付けられる一方部との間の前記軸線方向の中央部に取り付けられるようになっており、
前記中央長尺部の長手方向の中途部は、前記交差部において前記第１の長尺部及び前記第２の長尺部のそれぞれの中途部に対して前記交差する方向に配されて互いに交差する請求項２又は請求項２に従属する請求項３に記載の蝶番。
【請求項５】
前記中央長尺部の中途部が、前記巻回部を通される請求項３に従属する請求項４に記載の蝶番。
【請求項６】
長尺状に形成されて前記一の回転体と前記他の回転体とにわたってそれぞれ取り付けられる第１の補助長尺部及び第２の補助長尺部を備え、
前記第１の補助長尺部の一端部は、前記第１の長尺部の一端部が取り付けられる一方部と前記第２の長尺部の一端部が取り付けられる他方部との間の前記軸線方向の中央部に対して前記軸線方向の一方側の領域に取り付けられ、
前記第１の補助長尺部の他端部は、前記第１の長尺部の他端部が取り付けられる他方部と前記第２の長尺部の他端部が取り付けられる一方部との間の前記軸線方向の中央部に対して前記軸線方向の他方側の領域に取り付けられ、
前記第２の補助長尺部の一端部は、前記第１の長尺部の一端部が取り付けられる一方部と前記第２の長尺部の一端部が取り付けられる他方部との間の前記軸線方向の中央部に対して前記軸線方向の他方側の領域に取り付けられ、
前記第２の補助長尺部の他端部は、前記第１の長尺部の他端部が取り付けられる他方部と前記第２の長尺部の他端部が取り付けられる一方部との間の前記軸線方向の中央部に対して前記軸線方向の一方側の領域に取り付けられるようになっており、
前記第１の補助長尺部及び前記第２の補助長尺部のそれぞれの長手方向の中途部は、前記交差部において前記第１の長尺部及び前記第２の長尺部のそれぞれの中途部に対して前記交差する方向に配されて互いに交差する請求項２、請求項２に従属する請求項３、請求項４または請求項５に記載の蝶番。
【請求項７】
前記巻回部が、前記第１の長尺部、前記第２の長尺部、前記第１の補助長尺部及び前記第２の補助長尺部のそれぞれの中途部が複数回巻回されて構成される請求項３に従属する請求項６に記載の蝶番。
【請求項８】
前記第１の補助長尺部及び前記第２の補助長尺部のそれぞれの中途部が、前記巻回部を通される請求項３に従属する請求項６に記載の蝶番。
【請求項９】
前記第１の長尺部と前記第２の長尺部の長手寸法が異なっており、
前記長手寸法が異なった状態で前記第１の長尺部および前記第２の長尺部が前記一の回転体または前記他の回転体に取り付けられるようになっている請求項１から請求項８のいずれか一項に記載の蝶番。
【請求項１０】
前記交差部に取り付けられて前記第１の長尺部及び前記第２の長尺部のそれぞれの中途部が互いに接触しないようにするための補助部を備える請求項１から請求項９のいずれか一項に記載の蝶番。
【請求項１１】
前記交差部に取り付けられて前記第１の長尺部及び前記第２の長尺部のそれぞれの中途部の交差を保持するための保持部を備える請求項１から請求項１０のいずれか一項に記載の蝶番。
【請求項１２】
前記交差部を保護する保護部を備える請求項１から請求項１１のいずれか一項に記載の蝶番。
【請求項１３】
前記第１の長尺部と前記第２の長尺部の太さが異なっている請求項１から請求項１２のいずれか一項に記載の蝶番。
【請求項１４】
一の回転体と他の回転体とが回転軸線を中心として相対回転可能に連結された連結構造であって、
請求項１から請求項１３のいずれか一項に記載の蝶番を備え、
前記第１の長尺部の一端部が、前記一の回転体又は前記他の回転体のいずれか一方のうち前記軸線方向の一方部に取り付けられ、前記第１の長尺部の他端部が前記一の回転体又は前記他の回転体のいずれか他方のうち前記軸線方向の他方部に取り付けられており、
前記第２の長尺部の一端部が、前記一の回転体又は前記他の回転体のいずれか一方のうち前記軸線方向の他方部に取り付けられ、前記第２の長尺部の他端部が前記一の回転体又は前記他の回転体のいずれか他方のうち前記軸線方向の一方部に取り付けられており、前記第１の長尺部及び前記第２の長尺部のそれぞれの長手方向の中途部が前記交差部において前記回転軸線に対して交差する方向に配されて互いに交差している連結構造。
【発明の詳細な説明】
【技術分野】
【０００１】
本発明は、一の回転体と他の回転体とを相対回転可能に連結する蝶番に関する。
【背景技術】
【０００２】
従来、例えば、開口部枠（扉枠）と遮蔽部（扉）とを回転可能に連結するものとして蝶番が利用されている。
この蝶番は、一対の平板状の羽根部材と、これら羽根部材を回転可能に連結する回転軸部とを備えるのが一般的である（例えば、特許文献１参照）。そして、一方の羽根部材が開口部枠に取り付けられ、他方の羽根部材が遮蔽部に取り付けられることにより、開口部枠と遮蔽部とが回転軸部を中心として回転可能に連結される。
【先行技術文献】
【特許文献】
【０００３】
【特許文献１】特開２０１６−３５１７２号公報
【発明の概要】
【発明が解決しようとする課題】
【０００４】
しかしながら、このような蝶番では、開口部枠と遮蔽部との間に配される羽根部材又は回転軸部が露出してしまい、開口部枠と遮蔽部の外観が損なわれてしまうという問題がある。
【０００５】
以上に鑑みて、本発明は、デザイン性を低下させずに回転体を相対回転可能に連結することができる蝶番およびこの蝶番を備える連結構造を提供することを目的とする。
【課題を解決するための手段】
【０００６】
本願に開示する蝶番は、一の回転体と他の回転体とを回転軸線を中心として相対回転可能に連結する蝶番であって、長尺状に形成された第１の長尺部と第２の長尺部とを備え、前記第１の長尺部及び前記第２の長尺部のそれぞれの一端が前記一の回転体に取り付けられ、前記第１の長尺部及び前記第２の長尺部のそれぞれの他端が前記他の回転体に取り付けられるようになっており、前記第１の長尺部及び前記第２の長尺部のそれぞれの長手方向の中途部が前記回転軸線に対して交差する方向に配されて互いに交差する交差部とされる。
【発明の効果】
【０００７】
本願の一観点によれば、デザイン性を低下させずに回転体を相対回転可能に連結することができる。
【図面の簡単な説明】
【０００８】
【図１】第１の実施形態に係る蝶番を示す平面図である。
【図２】図１の蝶番をドア枠およびドアに取り付けた様子を模式的に示す説明図である。
【図３】図２の一部を拡大した様子を模式的に示す説明図である。
【図４】図１の蝶番をドア枠およびドアに取り付けた様子を高さ方向から示す説明図である。
【図５】第２の実施形態に係る蝶番を示す平面図である。
【図６】図４の蝶番をドア枠およびドアに取り付けた様子を模式的に示す説明図である。
【図７】第３の実施形態に係る蝶番を示す平面図である。
【図８】図６の一部を拡大した様子を示す説明図である。
【図９】図６の蝶番をドア枠およびドアに取り付けた様子を模式的に示す説明図である。
【図１０】第４の実施形態に係る蝶番を示す平面図である。
【図１１】第５の実施形態に係る蝶番を示す平面図である。
【図１２】第６の実施形態に係る蝶番を示す平面図である。
【図１３】蝶番の第１の変形例を示す平面図である。
【図１４】（ａ）はドア枠およびドアの取付穴を示す説明図、（ｂ）は蝶番を取り付けた様子を示す正面図である。
【図１５】図１４の変形例を示す図であって、（ａ）はドア枠およびドアの取付穴を示す説明図、（ｂ）は蝶番を取り付けた様子を示す正面図である。
【図１６】蝶番の第２の変形例の一部を拡大して示す説明図である。
【図１７】蝶番の第３の変形例の一部を拡大して示す説明図である。
【図１８】蝶番の第４の変形例の一部を拡大して示す説明図である。
【図１９】（ａ）はドア枠およびドアを正位置に配した様子を模式的に示す正面図、（ｂ）はドア枠およびドアを逆位置に配した様子を模式的に示す正面図である。
【図２０】連結構造の変形例の一部を示す説明図である。
【図２１】連結構造の他の変形例の一部を示す説明図である。
【図２２】蝶番および連結構造のさらに他の変形例を模式的に示す説明図である。
【発明を実施するための形態】
【０００９】
［第１の実施形態］
以下、本発明の第１の実施形態における蝶番について、図面を参照して説明する。
図１は、本発明の第１実施形態としての蝶番１０を示す平面図である。
蝶番１０は、長尺状に形成された第１の長尺部１と第２の長尺部２とを備えている。
第１の長尺部１は、長尺状の長尺本体部１ａと、この長尺本体部１ａの両端部をそれぞれ覆うカバー部１ｂとを備えている。
長尺本体部１ａは、繊維、樹脂または金属等からなっている。繊維としては、例えば、炭素繊維、ケブラー繊維、アラミド繊維、ナイロン繊維、ガラス繊維等が用いられる。
【００１０】
カバー部１ｂは、繊維、樹脂または金属からなっている。また、カバー部１ｂは、筒状に形成されており、その筒穴に長尺本体部１ａが通されている。そして、カバー部１ｂの筒穴に長尺本体部１ａが通された状態で、樹脂（エポキシ等）または接着剤等により長尺本体部１ａの端部が固定されている。
なお、カバー部１ｂは、長尺本体部１ａの端部を通した状態で、例えばクランプ管圧着工具等によって潰されていてもよい。これによって、カバー部１ｂの固定力を強化することができる。
【００１１】
また、第２の長尺部２は、上記と同様に、長尺本体部２ａとカバー部２ｂとを備えている。これら長尺本体部２ａおよびカバー部２ｂは、長尺本体部１ａおよびカバー部１ｂと同様の構成であり、ここでの説明は省略する。
第１の長尺部１の長手方向の全長における中央部分が中途部１ｃとなり、第２の長尺部２の長手方向の全長における中央部分が中途部２ｃとなる。これら中途部１ｃ，２ｃにおいては、長尺本体部１ａ，２ａがカバー部１ｂ，２ｂに覆われておらず外方に露出している。
【００１２】
中途部１ｃ，２ｃは、回転軸線Ｂに対して交差する方向に配されて互いに交差している。なお、回転軸線Ｂに対して交差する方向とは、回転軸線Ｂの軸線方向を除く方向をいうものであり、回転軸線Ｂに対して直交する方向を含むものである。例えば、ある平面Ａの平面方向に回転軸線Ｂを配し、かつ第１の長尺部１と第２の長尺部２とを同一平面Ａ上に展開させた状態において、その同一平面Ａに対して交差する方向を含むものであり、具体的には図１の紙面に対して直交する方向を含むものである。換言すると、回転軸線Ｂに対して交差する方向とは、図４に示すドア枠Ｅ（一の回転体）又はドアＤ（他の回転体）の奥行方向Ｄ１を含むものである。
すなわち、中途部１ｃ，２ｃが回転軸線Ｂに対して交差する方向に配されて互いに交差することにより、これら中途部１ｃ，２ｃが縦に立てられて互いに交差しており、この交差した部分が交差部３となる。
【００１３】
交差部３は、中途部１ｃ，２ｃが複数回巻回されて構成されている。この巻回された部分が巻回部４となる。なお、複数回とは主として奇数回をいうものであり、ここでは具体的には３回巻回されている。中途部１ｃ，２ｃが奇数回巻回されることにより、第１の長尺部１の一端部１ｄと他端部１ｅとは、中途部１ｃを挟んで長手方向に延ばされ、同様に、第２の長尺部２の一端部２ｄと他端部２ｅとは、中途部２ｃを挟んで長手方向に延ばされて配される。
すなわち、第１の長尺部１は、一端部１ｄから他端部１ｅにかけて回転軸線Ｂの一方から他方に傾斜して延ばされ、第２の長尺部２は、一端部２ｄから他端部２ｅにかけて回転軸線Ｂの他方から一方に傾斜して延ばされる。これにより、中途部１ｃ，２ｃが平面Ａ上においてＸ状に交差して配される。
【００１４】
このような構成のもと、第１の長尺部１および第２の長尺部２のそれぞれの一端部１ｄ，２ｄと、第１の長尺部１および第２の長尺部２のそれぞれの他端部１ｅ，２ｅとが、回転軸線Ｂを回転中心として、相対回転するようになっている。
ここで、相対回転とは、一端部１ｄ，２ｄと他端部１ｅ，２ｅとが相対的に回転することであり、一端部１ｄ，２ｄが固定されて他端部１ｅ，２ｅのみが回転すること、他端部１ｅ，２ｅが固定されて一端部１ｄ，２ｄのみが回転すること、さらに一端部１ｄ，２ｄと他端部１ｅ，２ｅとがいずれも回転すること等を含むものである。
【００１５】
次に、蝶番１０の利用方法等について説明する。
図２においては、ドア枠Ｅ（一の回転体）に対してドアＤ（他の回転体）が閉じられた状態を示しており、このときのドアＤの位置が閉位置Ｆ１となる。なお、符号Ｈは、ドア枠ＥおよびドアＤの高さ方向を示すものであり、符号Ｗは、ドア枠ＥおよびドアＤの幅方向を示すものである。
蝶番１０は、ドアＤの高さ方向Ｈの上端部および下端部の２箇所に取り付けられている。また、蝶番１０は、ドア枠ＥとドアＤとにわたって取り付けられている。すなわち、第１の長尺部１の一端部１ｄが、ドア枠Ｅのうち回転軸線Ｂの軸線方向の一方部ＥＢ１に取り付けられ、第１の長尺部１の他端部１ｅがドアＤのうち回転軸線Ｂの軸線方向の他方部ＤＢ２に取り付けられている。また、第２の長尺部２の一端部２ｄが、ドア枠Ｅのうち回転軸線Ｂの軸線方向の他方部ＥＢ２に取り付けられ、第２の長尺部２の他端部２ｅがドアＤのうち回転軸線Ｂの軸線方向の一方部ＤＢ１に取り付けられている。
【００１６】
ここで、一方部ＥＢ１，ＤＢ１および他方部ＥＢ２，ＤＢ２について説明する。一方部ＥＢ１，ＤＢ１および他方部ＥＢ２，ＤＢ２とは、回転軸線Ｂの軸線方向における相対的な位置関係を意味するものである。
具体的には、一方部ＥＢ１とは、回転軸線Ｂを境界線として２分する領域の一方の領域（ここではドア枠Ｅ）のうち、回転軸線Ｂの軸線方向の一方側（ここでは高さ方向Ｈの上方側）を意味し、他方部ＥＢ２とは、ドア枠Ｅにおいて一方部ＥＢ１に対して回転軸線Ｂの軸線方向の他方側（ここでは高さ方向Ｈの下方側）を意味している。すなわち、一方部ＥＢ１は、他方部ＥＢ２に対して上となり、他方部ＥＢ２は、一方部ＥＢ１に対して下となる。
同様に、一方部ＤＢ１とは、回転軸線Ｂを境界線として２分する領域の他方の領域（ここではドアＤ）のうち、回転軸線Ｂの軸線方向の一方側（ここでは高さ方向Ｈの上方側）を意味し、他方部ＤＢ２とは、ドアＤにおいて一方部ＤＢ１に対して回転軸線Ｂの軸線方向の他方側（ここでは高さ方向Ｈの下方側）を意味している。すなわち、一方部ＤＢ１は、他方部ＤＢ２に対して上となり、他方部ＤＢ２は、一方部ＤＢ１に対して下となる。
なお、一方部ＥＢ１と一方部ＤＢ１とは、水平方向に対向して同じ高さに設定されており、同様に、他方部ＥＢ２と他方部ＤＢ２とは、水平方向に対向して同じ高さに設定されている。
【００１７】
第１の長尺部１の一端部１ｄが一方部ＥＢ１に取り付けられ、他端部１ｅが他方部ＤＢ２に取り付けられることにより、第１の長尺部１は、一端部１ｄから他端部１ｅにかけて回転軸線Ｂに対して下方に傾斜して配される。
一方、第２の長尺部２の一端部２ｄが他方部ＥＢ２に取り付けられ、他端部２ｅが一方部ＤＢ１に取り付けられることにより、第２の長尺部２は、一端部２ｄから他端部２ｅにかけて回転軸線Ｂに対して上方に傾斜して配される。
【００１８】
なお、図３に示すように、第１の長尺部１および第２の長尺部２の回転軸線Ｂに対する傾斜の角度θは、回転軸線Ｂに対して４５°に設定される。また、図４に示すように、第１の長尺部１および第２の長尺部２は、ドアＤが閉位置Ｆ１に配された状態で、幅方向Ｗとのなす角θ１も４５°に設定されて取り付けられる。
【００１９】
具体的には、回転軸線Ｂに対して４５°であって、かつ幅方向Ｗに対しても４５°に延びる直線上の取付孔が形成され、それらの取付孔に一端部１ｄ，２ｄまたは他端部１ｅ，２ｅがそれぞれ挿入された状態で、樹脂または接着剤等によって固定される。
このようにして、２つの蝶番１０が、それぞれの一方部ＥＢ１，ＤＢ１および他方部ＥＢ２，ＤＢ２に取り付けられることにより、ドア枠ＥとドアＤとが回転軸線Ｂを回転中心として、相対回転可能に連結される。
このように、蝶番１０によってドア枠ＥとドアＤとが相対回転可能に連結されたものが、連結構造２０となる。
【００２０】
このような構成のもと、利用者は、ドアＤが閉位置Ｆ１に配された状態から、ドアＤを手前に引く。すると、巻回部４を通る回転軸線Ｂを回転中心として、ドアＤが手前側に回転していく。このとき、ドアＤを引っ張るときの引張力を主として第２の長尺部２が支持し、ドアＤの自重を主として第１の長尺部１が支持する。第１の長尺部１および第２の長尺部２は、長尺状に形成され引張耐力が高いことから、ドアＤをスムーズに回転させていく。
一方、利用者がドアＤを閉めるときには、ドアＤが開いた状態から、ドアＤを押すことにより、ドアＤが回転して閉位置Ｆ１に配される。
【００２１】
以上より、本実施形態における蝶番１０および連結構造２０によれば、第１の長尺部１および第２の長尺部２を取り付けたときに、外方から目立たなくさせることができるだけでなく、これら第１の長尺部１および第２の長尺部２の長手方向の引張耐力によってドアＤの引張力と自重を支持することができる。そのため、ドア枠ＥとドアＤとをスムーズに相対回転させることができるだけでなく、ドア枠ＥとドアＤとのデザイン性を低下させないようにすることができる。
特に、第１の長尺部１および第２の長尺部２が取付穴に挿入されて固定されることにより、これら第１の長尺部１および第２の長尺部２を外方に露出させる部分を少なくすることができる。
【００２２】
また、第１の長尺部１と第２の長尺部２とが、上下に傾斜してＸ状に交差していることから、第１の長尺部１および第２の長尺部２の長手方向の引張耐力によってドアＤの引張力と自重を支持することができる。
また、巻回部４が設けられていることから、交差部３における交差の状態を保持することができ、ドア枠ＥとドアＤとをスムーズに相対回転させることができる。
第１の長尺部１および第２の長尺部２が回転軸線Ｂに対して４５°に延ばされていることから、ドアＤの引張力と自重に対して均等に支持することができ、ドア枠ＥとドアＤとをよりスムーズに相対回転させることができる。
また、第１の長尺部１および第２の長尺部２が幅方向Ｗに対して４５°に延ばされていることから、ドアＤが閉位置Ｆ１から最大に開いた状態に配されるまでの間のいずれの位置に配されても、第１の長尺部１および第２の長尺部２の折れ曲げ角度を９０°以上に保持することができ、これら第１の長尺部１および第２の長尺部２の疲労防止を図ることができる。
【００２３】
［実施形態２］
次に、本発明の第２の実施形態について説明する。
図５は、本発明の第２の実施形態を示したものである。
図５において、図１から図４に記載の構成要素と同一部分については同一符号を付し、その説明を省略する。
この実施形態と上記第１の実施形態とは基本的構成は同一であり、ここでは主として異なる点について説明する。
本実施形態における蝶番１０ａは、巻回部４に保護部１２が設けられて構成されている。
巻回部４は、中途部１ｃ，２ｃが５回巻回されて構成されている。
保護部１２は、樹脂などからなり、例えば軟質エポキシ樹脂等からなっている。
これにより、交差部３における交差の状態を保持することができるだけでなく、交差部３を保護することができる。
【００２４】
図６は、蝶番１０ａおよびこの蝶番１０ａが取り付けられた連結構造２０ａを示している。
本実施形態においては、回転軸線Ｂの軸線方向が水平方向に向けられている。ここでは、回転軸線Ｂの軸線方向の一方は右方となり、回転軸線Ｂの軸線方向の他方は左方となる。そして、蝶番１０ａが、回転軸線Ｂの軸線方向の一端部（ここでは、幅方向Ｗの右端部）と他端部（ここでは、幅方向Ｗの左端部）の２箇所に取り付けられている。また、蝶番１０ａは、ドア枠ＥとドアＤとにわたって取り付けられている。
具体的には、第１の長尺部１の一端部１ｄが、ドア枠Ｅのうち回転軸線Ｂの軸線方向の一方部ＥＢ１に取り付けられ、第１の長尺部１の他端部１ｅがドアＤのうち回転軸線Ｂの軸線方向の他方部ＤＢ２に取り付けられている。また、第２の長尺部２の一端部２ｄが、ドア枠Ｅのうち回転軸線Ｂの軸線方向の他方部ＥＢ２に取り付けられ、第２の長尺部２の他端部２ｅがドアＤのうち回転軸線Ｂの軸線方向の一方部ＤＢ１に取り付けられている。
なお、一方部ＥＢ１と一方部ＤＢ１とは、回転軸線Ｂを挟んで対向して同じ位置に設定されており、同様に、他方部ＥＢ２と他方部ＤＢ２とは、回転軸線Ｂを挟んで対向して同じ位置に設定されている。
【００２５】
このようにして、２つの蝶番１０ａが、それぞれの一方部ＥＢ１，ＤＢ１および他方部ＥＢ２，ＤＢ２に取り付けられることにより、ドア枠ＥとドアＤとが回転軸線Ｂを回転中心として、相対回転可能に連結される。
このように、蝶番１０ａによってドア枠ＥとドアＤとが相対回転可能に連結されたものが、連結構造２０ａとなる。
このような構成のもと、利用者がドアＤの下端部を手前に引くと、回転軸線Ｂを回転中心として、ドアＤの下端部が上方に向かって手前側に回転していく。このとき、ドアＤを引っ張るときの引張力およびドアＤの自重を第１の長尺部１および第２の長尺部２が支持する。第１の長尺部１および第２の長尺部２は、長尺状に形成され引張耐力が高いことから、ドアＤをスムーズに回転させていく。
【００２６】
以上より、本実施形態における蝶番１０ａおよび連結構造２０ａによれば、ドア枠ＥとドアＤとをスムーズに相対回転させることができるだけでなく、ドア枠ＥとドアＤとのデザイン性を低下させないようにすることができる。
また、ドアＤを引っ張るときの引張力およびドアＤの自重を、第１の長尺部１および第２の長尺部２が支持することから、第１の長尺部１および第２の長尺部２に負荷を分散することができる。
また、保護部１２が設けられていることから、交差部３を保護することができ、耐久性を向上させることができる。
【００２７】
［実施形態３］
次に、本発明の第３の実施形態について説明する。
図７および図８は、本発明の第３の実施形態を示したものである。
図７および図８において、図１から図６に記載の構成要素と同一部分については同一符号を付し、その説明を省略する。
この実施形態と上記第１の実施形態とは基本的構成は同一であり、ここでは主として異なる点について説明する。
本実施形態における蝶番１０ｂは、長尺状に形成された中央長尺部５を備えている。
中央長尺部５は、繊維、樹脂または金属等からなっている。この中央長尺部５は、平面Ａ方向において回転軸線Ｂに直交する方向に延ばされ、巻回部４の中央を通されている。すなわち、中央長尺部５の中途部５ｃが巻回部４の中央を通されており、これにより中途部１ｃ，２ｃ，５ｃが回転軸線Ｂに対して交差する方向に配されて互いに交差している。この中央長尺部５は、後述するように、一端部５ｄがドア枠Ｅに取り付けられ、他端部５ｅがドアＤに取り付けられるようになっている。
また、巻回部４の両端部には、巻回の緩みを防止する規制部６が設けられている。規制部６は、例えば、クリップや結わき線などからなっており、巻回部４の両端部において仮止めされている。この巻回部４は、蝶番１０ｂが設置されると取り除かれるようになっている。
【００２８】
図９は、蝶番１０ｂおよびこの蝶番１０ｂが取り付けられた連結構造２０ｂを示している。
蝶番１０ｂは、ドアＤの高さ方向Ｈの上端部、中央部および下端部の３箇所に取り付けられている。
特に、中央長尺部５の一端部５ｄが、ドア枠Ｅのうち一方部ＥＢ１と他方部ＥＢ２との間の中央部ＥＢＣに取り付けられている。また、中央長尺部５の他端部５ｅが、ドアＤのうち一方部ＤＢ１と他方部ＤＢ２との間の中央部ＤＢＣに取り付けられている。
【００２９】
なお、中央部ＥＢＣとは、ドア枠Ｅのうち回転軸線Ｂの軸線方向における一方部ＥＢ１と他方部ＥＢ２との間の中央部分をいうものである。また、中央部ＤＢＣは、ドアＤのうち回転軸線Ｂの軸線方向における一方部ＤＢ１と他方部ＤＢ２との間の中央部分をいうものである。
このような構成のもと、利用者がドアＤを引っ張ると、ドアＤの引張力を中央長尺部５等が支持しながら、ドアＤが回転軸線Ｂを中心としてドア枠Ｅに対して相対回転する。
【００３０】
以上より、本実施形態における蝶番１０ｂおよび連結構造２０ｂによれば、中央長尺部５を備えることから、ドアＤの引張力に対する引張耐力を強化することができる。そのため、ドア枠ＥとドアＤとをよりスムーズに相対回転させることができる。
また、規制部６が設けられていることから、巻回部４の緩みを防止することができるだけでなく、目視による巻回部４の視認を容易にすることができ、蝶番１０ｂの設置を迅速かつ容易に行うことができる。
【００３１】
［実施形態４］
次に、本発明の第４の実施形態について説明する。
図１０は、本発明の第４の実施形態を示したものである。
図１０において、図１から図９に記載の構成要素と同一部分については同一符号を付し、その説明を省略する。
この実施形態と上記第３の実施形態とは基本的構成は同一であり、ここでは主として異なる点について説明する。
本実施形態における蝶番１０ｃは、長尺状に形成された第１の補助長尺部７と第２の補助長尺部８を備えている。
これら第１の補助長尺部７および第２の補助長尺部８は、繊維、樹脂または金属等からなっている。第１の補助長尺部７および第２の補助長尺部８のそれぞれの一端部７ｄ，８ｄは、ドア枠Ｅに取り付けられるようになっており、それぞれの他端部７ｅ，８ｅは、ドアＤに取り付けられるようになっている。
【００３２】
第１の補助長尺部７は、第１の長尺部１と回転軸線Ｂとのなす角θ２を２等分する方向に延ばされており、第２の補助長尺部８は、第２の長尺部２と回転軸線Ｂとのなす角θ２を２等分する方向に延ばされている。
これら第１の補助長尺部７および第２の補助長尺部８は、巻回部４の中央を通されている。すなわち、第１の補助長尺部７および第２の補助長尺部８の中途部７ｃ，８ｃと、中央長尺部５の中途部５ｃが巻回部４の中央を通されており、これにより中途部１ｃ，２ｃ，５ｃ，７ｃ，８ｃが回転軸線Ｂに対して交差する方向に配されて互いに交差している。
【００３３】
図１０において、符号ＥＵ，ＤＵは一方側の領域を示し、符号ＥＤ，ＤＤは他方側の領域を示している。
ここで、一方側の領域ＥＵ，ＤＵおよび他方側の領域ＥＤ，ＤＤについて説明する。一方側の領域ＥＵ，ＤＵおよび他方側の領域ＥＤ，ＤＤとは、回転軸線Ｂの軸線方向における相対的な位置関係を意味するものである。
一方側の領域ＥＵとは、回転軸線Ｂと中央長尺部５上の仮想線５Ｌとによって４分される領域のうち、一方部ＥＢ１が設けられる領域であり、他方側の領域ＥＤとは、他方部ＥＢ２が設けられる領域、一方側の領域ＤＵとは、一方部ＤＢ１が設けられる領域、他方側の領域ＤＤとは、他方部ＤＢ２が設けられる領域である。
【００３４】
具体的には、一方側の領域ＥＵとは、ドア枠Ｅのうち中央部ＥＢＣよりも回転軸線Ｂの軸線方向の一方側の領域を意味している。また、他方側の領域ＥＤとは、ドア枠Ｅのうち中央部ＥＢＣよりも回転軸線Ｂの軸線方向の他方側の領域を意味している。すなわち、ドア枠Ｅのうち中央部ＥＢＣを境界線として回転軸線Ｂの軸線方向の一方側の領域全体が一方側の領域ＥＵとなり、他方側の領域全体が他方側の領域ＥＤとなる。
さらに、一方側の領域ＥＵのうち、一方部ＥＢ１と回転軸線Ｂとの間の領域が端部領域ＥＵ１となり、一方部ＥＢ１と中央部ＥＢＣとの間の領域が中央領域ＥＵ２となる。また、他方側の領域ＥＤのうち、他方部ＥＢ２と回転軸線Ｂとの間の領域が端部領域ＥＤ１となり、他方部ＥＢ２と中央部ＥＢＣとの間の領域が中央領域ＥＤ２となる。
【００３５】
また、一方側の領域ＤＵとは、ドアＤのうち中央部ＤＢＣよりも回転軸線Ｂの軸線方向の一方側の領域を意味し、他方側の領域ＤＤとは、ドアＤのうち中央部ＤＢＣよりも回転軸線Ｂの軸線方向の他方側の領域を意味している。すなわち、ドアＤのうち中央部ＤＢＣを境界線として回転軸線Ｂの軸線方向の一方側の領域全体が一方側の領域ＤＵとなり、他方側の領域全体が他方側の領域ＤＤとなる。
さらに、一方側の領域ＤＵのうち、一方部ＤＢ１と回転軸線Ｂとの間の領域が端部領域ＤＵ１となり、一方部ＤＢ１と中央部ＤＢＣとの間の領域が中央領域ＤＵ２となる。また、他方側の領域ＤＤのうち、他方部ＤＢ２と回転軸線Ｂとの間の領域が端部領域ＤＤ１となり、他方部ＤＢ２と中央部ＤＢＣとの間の領域が中央領域ＤＤ２となる。
【００３６】
第１の補助長尺部７の一端部７ｄは、ドア枠Ｅのうちの一方側の領域ＥＵに取り付けられている。具体的には、一端部７ｄは、一方側の領域ＥＵのうちの端部領域ＥＵ１に取り付けられている。
また、第１の補助長尺部７の他端部７ｅは、ドアＤのうちの他方側の領域ＤＤに取り付けられている。具体的には、他端部７ｅは、他方側の領域ＤＤのうちの中央領域ＤＤ１に取り付けられている。
【００３７】
第２の補助長尺部８の一端部８ｄは、ドア枠Ｅのうちの他方側の領域ＥＤに取り付けられている。具体的には、一端部８ｄは、他方側の領域ＥＤのうちの端部領域ＥＤ１に取り付けられている。
また、第２の補助長尺部８の他端部８ｅは、ドアＤのうちの一方側の領域ＤＵに取り付けられている。具体的には、他端部８ｅは、一方側の領域ＤＵのうちの端部領域ＤＵ１に取り付けられている。
【００３８】
このような構成のもと、利用者がドアＤを引っ張ると、ドアＤの引張力および自重を第１の補助長尺部７および第２の補助長尺部８等が支持しながら、ドアＤが回転軸線Ｂを中心としてドア枠Ｅに対して相対回転する。
【００３９】
以上より、本実施形態における蝶番１０ｃおよび連結構造２０ｃによれば、第１の補助長尺部７および第２の補助長尺部８を備えることから、ドアＤの引張力および自重に対する引張耐力を強化することができる。そのため、ドア枠ＥとドアＤとをよりスムーズに相対回転させることができる。
【００４０】
［実施形態５］
次に、本発明の第５の実施形態について説明する。
図１１は、本発明の第５の実施形態を示したものである。
図１１において、図１から図１０に記載の構成要素と同一部分については同一符号を付し、その説明を省略する。
この実施形態と上記第４の実施形態とは基本的構成は同一であり、ここでは主として異なる点について説明する。
第１の補助長尺部７の一端部７ｄは、中央領域ＥＵ２に取り付けられ、他端部７ｅが中央領域ＤＤ２に取り付けられている。また、第２の補助長尺部８の一端部８ｄは、中央領域ＥＤ２に取り付けられ、他端部８ｅが中央領域ＤＵ２に取り付けられている。
【００４１】
以上より、本実施形態における蝶番１０ｄおよび連結構造２０ｄによれば、第１の補助長尺部７および第２の補助長尺部８を備えることから、ドアＤの引張力および自重に対する引張耐力を強化することができる。そのため、ドア枠ＥとドアＤとをよりスムーズに相対回転させることができる。
【００４２】
［実施形態６］
次に、本発明の第６の実施形態について説明する。
図１２は、本発明の第６の実施形態を示したものである。
図１２において、図１から図１１に記載の構成要素と同一部分については同一符号を付し、その説明を省略する。
この実施形態と上記第４の実施形態とは基本的構成は同一であり、ここでは主として異なる点について説明する。
本実施形態における蝶番１０ｅは、第１の補助長尺部７および第２の補助長尺部８をそれぞれ２つずつ備えている。
１つ目の第１の補助長尺部７の一端部７ｄは端部領域ＥＵ１に取り付けられ、他端部７ｅが端部領域ＤＤ１に取り付けられている。２つ目の第１の補助長尺部７の一端部７ｄは中央領域ＥＵ２に取り付けられ、他端部７ｅが中央領域ＤＤ２に取り付けられている。
また、１つ目の第２の補助長尺部８の一端部８ｄは端部領域ＥＤ１に取り付けられ、他端部８ｅが端部領域ＤＵ１に取り付けられている。２つ目の第２の補助長尺部８の一端部８ｄは中央領域ＥＤ２に取り付けられ、他端部８ｅが中央領域ＤＵ２に取り付けられている。
【００４３】
以上より、本実施形態における蝶番１０ｅおよび連結構造２０ｅによれば、第１の補助長尺部７および第２の補助長尺部８をそれぞれ複数備えることから、ドアＤの引張力および自重に対する引張耐力を強化することができる。そのため、ドア枠ＥとドアＤとをよりスムーズに相対回転させることができる。
【００４４】
以上、本発明の実施形態について述べたが、本発明は既述の実施形態に限定されるものではなく、各種の変形及び変更が可能である。
例えば、巻回部４を設けるとしたが、これに限ることはなく、この巻回部４は設けられていなくてもよい。この場合、中途部１ｃ，２ｃ，５ｃ，７ｃ，８ｃが巻回されることなく、回転軸線Ｂに対して交差する方向に配されて１回交差した状態になる。
なお、中途部１ｃ，２ｃが１回交差した場合、図１３に示すように、環状の保持部９を設けることができる。この保持部９に中途部１ｃ，２ｃが通されている。これにより、交差部３の交差状態を保持することができる。
なお、図１３において、符号１０ｆは蝶番を示している。
また、図１３においては、保持部９を横に配した状態で、中途部１ｃ，２ｃが通されているが、これに限ることはなく、保持部９を縦に配した状態で、中途部１ｃ，２ｃが通されていてもよい。
また、保持部９の形状は、適宜変更可能である。例えば、球状であってもよい。保持部９には、それぞれの中途部１ｃ，２ｃ，５ｃ，７ｃ，８ｃを通すようにしてもよい。
【００４５】
また、中途部１ｃ，２ｃ，５ｃ，７ｃ，８ｃは、長手方向の中央部に設けられるとしているが、これに限ることはなく、長手方向の一端側または他端側に設けられていてもよい。
また、第１の長尺部１および第２の長尺部２と回転軸線Ｂとの角θが４５°に設定されているが、これに限ることはなく、これら設置の角度は適宜変更可能である。また、第１の長尺部１および第２の長尺部２の幅方向Ｗに対する角θ１も４５°としているが、これに限ることはなく、これら設置の角度は適宜変更可能である。
【００４６】
なお、ドア枠ＥおよびドアＤに形成する取付穴は、図１４（ａ）に示すように、ドアＤのうちドア枠Ｅに対向する対向面Ｄ２から、正面Ｄ３との角θが４５°に延びるように設けることができる。同様に、ドア枠ＥのうちドアＤに対向する対向面Ｅ２から、正面Ｅ３との角θが４５°に延びるように設けることができる。すなわち、取付穴の開口部が対向面Ｄ２，Ｅ２に設けられる。これにより、図１４（ｂ）に示すように、対向面Ｄ２と対向面Ｅ２との間に蝶番を取り付けることができ、蝶番の外方への露出を少なくすることができる。
また、図１５（ａ）に示すように、取付穴の開口部が正面Ｄ３，Ｅ３に設けられていてもよい。これにより、図１５（ｂ）に示すように、正面Ｄ３と正面Ｅ３から蝶番を外方に露出させることができる。すなわち、取付穴の開口部の位置により、蝶番の露出を調整することができる。
【００４７】
また、図１６に示すように、巻回部４に補助部１１を設けることもできる。補助部１１は、スプリング状に形成されている。補助部１１は、２本設けられており、１つ目の補助部１１に第１の長尺部１が通され、２つ目の補助部１１に第２の長尺部２が通されている。すなわち、２つの補助部１１が複数回巻回された状態になっている。これにより、第１の長尺部１と第２の長尺部２とが接触することを防止することができ、第１の長尺部１と第２の長尺部２との間に生じる摩擦を軽減させることができる。そのため、第１の長尺部１および第２の長尺部２のそれぞれの引張耐力を効果的に利用することができる。また、補助部１１が設けられることにより、第１の長尺部１および第２の長尺部２を保護することができる。
なお、図１６において、符号１０ｇは蝶番を示している。
【００４８】
また、補助部１１の形状は、適宜変更可能であり、例えば、筒状にしたり、スパイラル管を利用したりすることができる。さらに、図１７に示すように、補助部１１ａが３連のリングからなるようにしてもよい。これら３連のリングに第１の長尺部１および第２の長尺部２を通すことができ、これにより、第１の長尺部１と第２の長尺部２との間に生じる摩擦を軽減させることができる。なお、補助部１１ａの形状が３連のリングとしているが、その形状は適宜変更可能である。例えば、５連のリングなど複数のリング形状であってもよい。また、補助部１１ａが球状であってもよい。
なお、図１７において、符号１０ｈは蝶番を示すものである。
また、図１８に示すように、スプリング状の保護部１２ａを設けてもよい。この保護部１２ａに第１の長尺部１および第２の長尺部２を通すことにより、これら第１の長尺部１および第２の長尺部２を保護することができる。
また、図１８に示す蝶番１０ｉにおいては、第１の長尺部１と第２の長尺部２の太さが異なっている。すなわち、第１の長尺部１の太さ寸法が、第２の長尺部２の太さ寸法よりも大きくなっている。これにより、ドアＤの自重に対する引張耐力を強化することができる。すなわち、ドアＤの引張力よりもドアＤの自重の方が大きくなることが一般的であり、このような場合に、太さ寸法の大きい第１の長尺部１の引張耐力によってドアＤの自重を支持し、太さ寸法の小さい第２の長尺部２の引張耐力によってドアＤの引張力を支持することができる。そのため、ドアＤの自重を適切に支持しつつ、第２の長尺部２の露出を抑えることができる。そのため、デザイン性を低下させずにドア枠ＥとドアＤとを相対回転可能に連結することができる。
【００４９】
また、第１の長尺部１および第２の長尺部２の長手寸法が同一であるものとしているが、これに限ることはなく、長手寸法が異なるようにしてもよい。例えば、図１９（ａ）に示すように、第１の長尺部１に対して第２の長尺部２の長手寸法が大きくなっている。すなわち、ドアＤの一方部ＤＢ１に形成される取付穴の深さ寸法が、一方部ＥＢ１および他方部ＥＢ２，ＤＢ２に形成される深さ寸法よりも大きくなっており、これら一方部ＥＢ１，ＤＢ１および他方部ＥＢ２，ＤＢ２に、第１の長尺部１または第２の長尺部２がそれぞれ挿入され固定されている。
【００５０】
このような構成のもと、図１９（ａ）に示すように、第２の長尺部２の他端部２ｅが高さ方向Ｈの上方に配された正位置にドア枠ＥおよびドアＤが配されると、第１の長尺部１の長手寸法が小さくなっており、かつ第１の長尺部１の引張耐力によってドアＤの自重が支持されるため、ドア枠ＥとドアＤの高さ位置が変わることなく、ドア枠ＥとドアＤとが相対回転する。一方、図１９（ｂ）に示すように、第２の長尺部２の他端部２ｅが高さ方向Ｈの下方に配された逆位置（正位置に対して上下逆に配された位置）にドア枠ＥおよびドアＤが配されると、第２の長尺部２の長手寸法が長くなっており、かつ第２の長尺部２の引張耐力によってドアＤの自重が支持されるため、ドアＤが自重によりドア枠Ｅに対して高さ方向Ｈの下方にスライドしドア枠Ｅよりも低い位置に配される。この状態で、ドア枠ＥとドアＤとが相対回転する。
これにより、ドア枠ＥとドアＤの高さ方向Ｈの位置を設置状況に応じて変更することができる。
なお、符号１０ｊは蝶番を示すものであり、符号２０ｊは連結構造を示すものである。
【００５１】
また、図２０に示すように、ドア枠Ｅの正面Ｅ３およびドアＤの正面Ｄ３の外方に突出した位置に交差部３を配するようにしてもよい。すなわち、湾曲状に突出する突出部Ｅ４，Ｄ４が正面Ｅ３，Ｄ３に設けられ、これら突出部Ｅ４，Ｄ４の外方に交差部３が配される。これら突出部Ｅ４，Ｄ４は、正面Ｅ３，Ｄ３よりも外方において交差部３を支持する外方支持部として機能する。
このような連結構造２０ｆによれば、回転軸線Ｂを正面Ｅ２，Ｄ２よりも外方に設定することができ、ドアＤをドア枠Ｅに対してより円滑に１８０°回転させることができる。
なお、外方支持部としては、突出部Ｅ４，Ｄ４に代えて、図２１に示すように、リング部材１３であってもよいし、球状部材などであってもよい。このような連結構造２０ｇによって、回転軸線Ｂを正面Ｅ３，Ｄ３よりも外方に設定することができ、ドアＤをドア枠Ｅに対してより円滑に１８０°回転させることができる。
【００５２】
また、ドア枠ＥおよびドアＤへの蝶番の取り付け位置は、適宜変更可能である。例えば、ドア枠ＥおよびドアＤの高さ方向Ｈの全長にわたって一つの蝶番を取り付けてもよいし、高さ方向Ｈの一部に取り付けたり複数箇所に取り付けたりしてもよい。
また、一の回転体をドア枠Ｅとし、他の回転体をドアＤとしているが、これに限ることはなく、回転体の種類や形状等は適宜変更可能である。また、一の回転体を固定して、他の回転体を相対回転させるだけでなく、一の回転体を相対回転させて、他の回転体を固定してもよいし、一の回転体および他の回転体をともに相対回転させてもよい。
また、回転軸線Ｂを鉛直方向または水平方向に向けているが、これに限ることはなく、適宜変更可能である。例えば、回転軸線Ｂを傾斜させてもよい。
【００５３】
また、図２２は、蝶番および連結構造の他の変形例を示している。この変形例においては、回転軸線Ｂは水平方向に向けられている。
蝶番１０は、回転軸線Ｂの一方側（右端側）と他方側（左端側）に２つ取り付けられている。
符号Ｅｂ１，ｅｂ１は一方部を示すものであり、符号Ｄｂ２，ｄｂ２は他方部を示すものである。一方部Ｅｂ１，ｅｂ１および他方部Ｄｂ２，ｄｂ２とは、回転軸線Ｂの軸線方向における相対的な位置関係を意味するものである。ここでは、右端側と左端側とで分けて説明する。
まずは、右端側において、一方部Ｅｂ１とは、回転軸線Ｂを境界線として２分する領域の一方の領域（ここではドアＤおよびドア枠Ｅの上方）のうち、回転軸線Ｂの軸線方向の一方側（ここではドア枠Ｅ側）を意味し、他方部Ｄｂ２とは、一方部Ｅｂ１に対して回転軸線Ｂの軸線方向の他方側（ここではドアＤ側）を意味している。
同様に、右端側において一方部ｅｂ１とは、回転軸線Ｂを境界線として２分する領域の他方の領域（ここではドアＤおよびドア枠Ｅの下方）のうち、回転軸線Ｂの軸線方向の一方側（ここではドア枠Ｅ側）を意味し、他方部ｄｂ２とは、一方部ｅｂ１に対して回転軸線Ｂの軸線方向の他方側（ここではドアＤ側）を意味している。
【００５４】
また、左端側において、一方部Ｅｂ１とは、回転軸線Ｂを境界線として２分する領域の一方の領域（ここではドアＤおよびドア枠Ｅの上方）のうち、回転軸線Ｂの軸線方向の一方側（ここではドアＤ側）を意味し、他方部Ｄｂ２とは、一方部Ｅｂ１に対して回転軸線Ｂの軸線方向の他方側（ここではドア枠Ｅ側）を意味している。
同様に、左端側において一方部ｅｂ１とは、回転軸線Ｂを境界線として２分する領域の他方の領域（ここではドアＤおよびドア枠Ｅの下方）のうち、回転軸線Ｂの軸線方向の一方側（ここではドアＤ側）を意味し、他方部ｄｂ２とは、一方部ｅｂ１に対して回転軸線Ｂの軸線方向の他方側（ここではドア枠Ｅ側）を意味している。
【００５５】
第１の長尺部１の一端部１ｄは、一方部Ｅｂ１に取り付けられており、他端部１ｅは、他方部ｄｂ２に取り付けられている。また、第２の長尺部２の一端部２ｄは、他方Ｄｂ２に取り付けられており、他端部２ｅは、一方部ｅｂ１に取り付けられている。
このようにして、２つの蝶番１０が、それぞれの一方部Ｅｂ１，ｅｂ１および他方部Ｄｂ２，ｄｂ２に取り付けられることにより、ドア枠ＥとドアＤとが回転軸線Ｂを回転中心として、相対回転可能に連結される。
このように、蝶番１０によってドア枠ＥとドアＤとが相対回転可能に連結されたものが、連結構造２０ｈとなる。
このような構成のもと、利用者がドアＤの下端部を手前に引くと、回転軸線Ｂを回転中心として、ドアＤの下端部が上方に向かって手前側に回転していく。
【００５６】
以上より、この蝶番１０および連結構造２０ｈによれば、ドア枠ＥとドアＤとをスムーズに相対回転させることができるだけでなく、ドア枠ＥとドアＤとのデザイン性を低下させないようにすることができる。
なお、この変形例においても、中央長尺部５、第１の補助長尺部７または第２の補助長尺部８を設けることができることは言うまでもない。
【００５７】
また、第１の補助長尺部７および第２の補助長尺部８が、巻回部４の中を通されるとしたが、これに限ることはなく、適宜変更可能である。例えば、第１の補助長尺部７および第２の補助長尺部８の中途部７ｃ，８ｃが、中途部１ｃ，２ｃとともに複数回巻回されていてもよいし、中途部５ｃとともに複数回巻回されていてもよい。これにより、交差部３を補強することができる。
また、中央長尺部５が巻回部４の中央を通されているとしたが、これに限ることはなく、巻回部４のどこかを通されていればよい。また、中央長尺部５は巻回部４を通されていなくてもよい。この場合、保持部９により中央長尺部５の交差状態を保持するようにしてもよい。
【００５８】
また、第１の補助長尺部７および第２の補助長尺部８が巻回部４の中央を通されているとしたが、これに限ることはなく、巻回部４のどこかを通っていればよい。また、第１の補助長尺部７または第２の補助長尺部８の少なくともいずれか一方が巻回部４を通されていればよい。また、第１の補助長尺部７および第２の補助長尺部８のいずれも巻回部４を通されていなくてもよい。この場合、保持部９により第１の補助長尺部７および第２の補助長尺部８の交差状態を保持するようにしてもよい。
また、中央長尺部５、第１の補助長尺部７および第２の補助長尺部８が巻回部４の中央を通されているとしたが、これに限ることはなく、巻回部４のそれぞれ異なる箇所を通されていてもよい。
【００５９】
また、規制部６は、蝶番１０ｂの設置後に取り除かれるようになっているが、これに限ることはなく、蝶番１０ｂの設置後にもそのまま取り付けられているようにしてもよい。
また、規制部６は、交差部３の両端部の少なくともいずれか一方に設けられていればよい。さらに、規制部６は設けられていなくてもよい。
また、一方部ＥＢ１と一方部ＤＢ１とは、回転軸線Ｂを挟んで対向する位置に設定されているが、これに限ることはなく、異なる位置に設定されていてもよい。同様に、他方部ＥＢ２と他方部ＤＢ２とは、回転軸線Ｂを挟んで対向する位置に設定されているが、異なる位置に設定されていてもよい。
また、第１の長尺部１と第２の長尺部２の太さ寸法は、適宜変更可能である。例えば、上述したように、第１の長尺部１と第２の長尺部２の太さ寸法が同一であってもよいし、第１の長尺部１の太さ寸法の方が大きくてもよい。さらに、第２の長尺部２の太さ寸法の方が大きくなっていてもよい。つまり、設置する状況に応じて、第１の長尺部１と第２の長尺部２の太さ寸法を適宜調整することができる。
【００６０】
既述の実施形態に関し、さらに以下の付記を記載する。
（付記１）
一の回転体と他の回転体とを回転軸線を中心として相対回転可能に連結する蝶番であって、
長尺状に形成されて前記一の回転体と前記他の回転体とにわたってそれぞれ取り付けられる第１の長尺部及び第２の長尺部を備え、
前記第１の長尺部は、一端部から他端部にかけて前記回転軸線の一方から他方に傾斜して延ばされ、
前記第２の長尺部は、一端部から他端部にかけて前記回転軸線の他方から一方に傾斜して延ばされ、
前記第１の長尺部及び前記第２の長尺部のそれぞれの長手方向の中途部が前記回転軸線に対して交差する方向に配されて互いに交差する交差部とされる蝶番。
【００６１】
（付記２）
前記第１の長尺部の一端部が、前記一の回転体又は前記他の回転体のいずれか一方のうち前記回転軸線の軸線方向の一方部に取り付けられ、前記第１の長尺部の他端部が前記一の回転体又は前記他の回転体のいずれか他方のうち前記軸線方向の他方部に取り付けられるようになっており、
前記第２の長尺部の一端部が、前記一の回転体又は前記他の回転体のいずれか一方のうち前記軸線方向の他方部に取り付けられ、前記第２の長尺部の他端部が前記一の回転体又は前記他の回転体のいずれか他方のうち前記軸線方向の一方部に取り付けられるようになっており、
前記交差部は、前記第１の長尺部及び前記第２の長尺部のそれぞれの中途部がＸ状に交差する付記１に記載の蝶番。
【００６２】
（付記３）
前記交差部は、前記第１の長尺部及び前記第２の長尺部のそれぞれの中途部が複数回巻回される巻回部である付記１又は付記２に記載の蝶番。
【００６３】
（付記４）
長尺状に形成されて前記一の回転体と前記他の回転体とにわたって取り付けられる中央長尺部を備え、
前記中央長尺部の一端部が、前記第１の長尺部の一端部が取り付けられる一方部と前記第２の長尺部の一端部が取り付けられる他方部との間の前記軸線方向の中央部に取り付けられ、
前記中央長尺部の他端部が、前記第１の長尺部の他端部が取り付けられる他方部と前記第２の長尺部の他端部が取り付けられる一方部との間の前記軸線方向の中央部に取り付けられるようになっており、
前記中央長尺部の長手方向の中途部は、前記交差部において前記第１の長尺部及び前記第２の長尺部のそれぞれの中途部に対して前記交差する方向に配されて互いに交差する付記２又は付記２に従属する付記３に記載の蝶番。
【００６４】
（付記５）
前記中央長尺部の中途部が、前記巻回部を通される付記３に従属する付記４に記載の蝶番。
【００６５】
（付記６）
長尺状に形成されて前記一の回転体と前記他の回転体とにわたってそれぞれ取り付けられる第１の補助長尺部及び第２の補助長尺部を備え、
前記第１の補助長尺部の一端部は、前記第１の長尺部の一端部が取り付けられる一方部と前記第２の長尺部の一端部が取り付けられる他方部との間の前記軸線方向の中央部に対して前記軸線方向の一方側の領域に取り付けられ、
前記第１の補助長尺部の他端部は、前記第１の長尺部の他端部が取り付けられる他方部と前記第２の長尺部の他端部が取り付けられる一方部との間の前記軸線方向の中央部に対して前記軸線方向の他方側の領域に取り付けられ、
前記第２の補助長尺部の一端部は、前記第１の長尺部の一端部が取り付けられる一方部と前記第２の長尺部の一端部が取り付けられる他方部との間の前記軸線方向の中央部に対して前記軸線方向の他方側の領域に取り付けられ、
前記第２の補助長尺部の他端部は、前記第１の長尺部の他端部が取り付けられる他方部と前記第２の長尺部の他端部が取り付けられる一方部との間の前記軸線方向の中央部に対して前記軸線方向の一方側の領域に取り付けられるようになっており、
前記第１の補助長尺部及び前記第２の補助長尺部のそれぞれの長手方向の中途部は、前記交差部において前記第１の長尺部及び前記第２の長尺部のそれぞれの中途部に対して前記交差する方向に配されて交差する付記２、付記２に従属する付記３、付記４または付記５に記載の蝶番。
【００６６】
（付記７）
前記巻回部が、前記第１の長尺部、前記第２の長尺部、前記第１の補助長尺部及び前記第２の補助長尺部のそれぞれの中途部が複数回巻回されて構成される付記３に従属する付記６に記載の蝶番。
【００６７】
（付記８）
前記第１の補助長尺部及び前記第２の補助長尺部のそれぞれの中途部が、前記巻回部を通される付記３に従属する付記６に記載の蝶番。
【００６８】
（付記９）
前記第１の長尺部と前記第２の長尺部の長手寸法が異なっており、
前記長手寸法が異なった状態で前記第１の長尺部および前記第２の長尺部が前記一の回転体または前記他の回転体に取り付けられるようになっている付記１から付記８のいずれか一項に記載の蝶番。
【００６９】
（付記１０）
前記交差部に取り付けられて前記第１の長尺部及び前記第２の長尺部のそれぞれの中途部が互いに接触しないようにするための補助部を備える付記１から付記９のいずれか一項に記載の蝶番。
【００７０】
（付記１１）
前記交差部に取り付けられて前記第１の長尺部及び前記第２の長尺部のそれぞれの中途部の交差を保持するための保持部を備える付記１から付記１０のいずれか一項に記載の蝶番。
【００７１】
（付記１２）
前記交差部を保護する保護部を備える付記１から付記１１のいずれか一項に記載の蝶番。
【００７２】
（付記１３）
前記第１の長尺部と前記第２の長尺部の太さが異なっている付記１から付記１２のいずれか一項に記載の蝶番。
【００７３】
（付記１４）
一の回転体と他の回転体とが回転軸線を中心として相対回転可能に連結された連結構造であって、
付記１から付記１３のいずれか一項に記載の蝶番を備え、
前記第１の長尺部の一端部が、前記一の回転体又は前記他の回転体のいずれか一方のうち前記軸線方向の一方部に取り付けられ、前記第１の長尺部の他端部が前記一の回転体又は前記他の回転体のいずれか他方のうち前記軸線方向の他方部に取り付けられており、
前記第２の長尺部の一端部が、前記一の回転体又は前記他の回転体のいずれか一方のうち前記軸線方向の他方部に取り付けられ、前記第２の長尺部の他端部が前記一の回転体又は前記他の回転体のいずれか他方のうち前記軸線方向の一方部に取り付けられており、前記第１の長尺部及び前記第２の長尺部のそれぞれの長手方向の中途部が前記交差部において前記回転軸線に対して交差する方向に互いに交差している連結構造。
【符号の説明】
【００７４】
１０，１０ａ，１０ｂ，１０ｃ，１０ｄ，１０ｅ，１０ｆ，１０ｇ，１０ｈ，１０ｉ，１０ｊ  蝶番
１  第１の長尺部
１ｃ  中途部
２  第２の長尺部
２ｃ  中途部
３  交差部
４  巻回部
５  中央長尺部
５ｃ  中途部
７  第１の補助長尺部
８  第２の補助長尺部
９  保持部
１１，１１ａ  補助部
１２  保護部
２０，２０ａ，２０ｂ，２０ｃ，２０ｄ，２０ｅ，２０ｆ，２０ｇ，２０ｈ，２０ｊ  連結構造
Ｂ  回転軸線
Ｄ  ドア（他の回転体）
ＤＢ１  一方部
ＤＢ２  他方部
ＤＢＣ  中央部
ＤＤ  他方側の領域
ＤＵ  一方側の領域
Ｅ  ドア枠（一の回転体）
ＥＢ１  一方部
ＥＢ２  他方部
ＥＢＣ  中央部
ＥＤ  他方側の領域
ＥＵ  一方側の領域
【図１】
2019027180.tif 000003
【図２】
2019027180.tif 000004
【図３】
2019027180.tif 000005
【図４】
2019027180.tif 000006
【図５】
2019027180.tif 000007
【図６】
2019027180.tif 000008
【図７】
2019027180.tif 000009
【図８】
2019027180.tif 000010
【図９】
2019027180.tif 000011
【図１０】
2019027180.tif 000012
【図１１】
2019027180.tif 000013
【図１２】
2019027180.tif 000014
【図１３】
2019027180.tif 000015
【図１４】
2019027180.tif 000016
【図１５】
2019027180.tif 000017
【図１６】
2019027180.tif 000018
【図１７】
2019027180.tif 000019
【図１８】
2019027180.tif 000020
【図１９】
2019027180.tif 000021
【図２０】
2019027180.tif 000022
【図２１】
2019027180.tif 000023
【図２２】
2019027180.tif 000024